(57)【要約】【課題】貯湯給湯装置において、補助熱源機の熱交換効率の低下を防止可能なもの、等を提供することである。【解決手段】貯湯給湯装置１は、補助熱源機３と、給湯通路２１と、タンク出湯通路２２と、補助加熱通路２３と、補助熱源機出湯通路２４とを備え、補助熱源機３で加熱した高温水を給湯通路２１へ供給する場合には、補助熱源機出湯通路２４からタンク出湯通路２２へ高温水の一部が流れ込むように圧送ポンプ２７を駆動するものにおいて、貯湯タンク２の上部からタンク出湯通路２２へ出湯される湯水温度を検知する為の通路湯水温度検知センサ２５と、この通路湯水温度検知センサ２５の検知温度に応じて圧送ポンプ２７を制御する制御ユニット３５とを備えている。【選択図】図１
2015021717.tif 000002
【特許請求の範囲】
【請求項１】
貯湯タンクの上部から給湯通路に接続されるタンク出湯通路と、このタンク出湯通路から分岐され燃焼式の補助熱源機に接続される補助加熱通路と、この補助加熱通路に設置された圧送手段と、前記補助熱源機から前記給湯通路に接続される補助熱源機出湯通路とを備え、前記補助熱源機で加熱した高温水を前記給湯通路へ供給する場合には、前記補助熱源機出湯通路から前記タンク出湯通路へ高温水の一部が流れ込むように前記圧送手段を駆動する貯湯給湯装置において、
前記貯湯タンクの上部から前記タンク出湯通路へ出湯される湯水温度を検知する為の温度検知手段と、この温度検知手段の検知温度に応じて前記圧送手段を制御する圧送手段制御手段とを備えたことを特徴とする貯湯給湯装置。
【請求項２】
前記圧送手段制御手段は、前記温度検知手段の検知温度が設定温度以上の場合、前記補助熱源機出湯通路から前記タンク出湯通路へ高温水が流れ込まないように前記圧送手段を制御し、前記温度検知手段の検知温度が設定温度未満になった場合、前記補助熱源機出湯通路から前記タンク出湯通路へ高温水の一部が流れ込むように前記圧送手段を制御することを特徴とする請求項１に記載の貯湯給湯装置。
【発明の詳細な説明】
【技術分野】
【０００１】
本発明は貯湯給湯装置に関し、特に貯湯タンクの湯水温度が低下した場合に燃焼式の補助熱源機を利用して湯水を再加熱して出湯するものに関する。
【背景技術】
【０００２】
従来から、高温水を生成して貯湯し、所望の給湯先に供給可能な貯湯給湯装置が実用に供されている。この種の貯湯給湯装置は、湯水を貯留する為の貯湯タンクと、各種の弁部材や各種の配管類と、貯湯タンク内に貯留された湯水温度が低い場合等に再加熱する為の補助熱源機と、これら機器を内蔵した外装ケースと、高温水を生成する為の外部熱源機等を備えている。
【０００３】
ところで、貯湯タンク内の湯水を再加熱する為に補助熱源機を稼動した場合、補助熱源機から給湯通路に流入した高温水が、貯湯タンクから補助熱源機をバイパスして給湯通路に流入した低温の湯水と混合してしまい、出湯特性が悪化する場合がある。この問題を解決する為に、補助熱源機を経由する通路に圧送ポンプを設置した構造の場合、圧送ポンプの出力能力を上昇させて、補助熱源機からの高温水を少量だけ常時貯湯タンク側へ流し込むように制御することで、貯湯タンク側から給湯通路に低温の湯水が流入するのを防止し、出湯特性の悪化を防止している。
【０００４】
上記の補助熱源機によって生成された高温水を貯湯タンク側に戻す技術としては、例えば、特許文献１の給湯システムでは、補助熱源機と、貯湯タンクから補助熱源機へ接続する通路と、補助熱源機から給湯通路へ接続する通路と、貯湯タンクの上部から補助熱源機をバイパスして直接給湯通路に接続する通路とからループ状循環回路を構成し、補助熱源機を利用した給湯運転終了後に、補助熱源機の稼動を一定時間継続して、高温水をループ状循環回路に循環させることで貯湯タンク側へ高温水を戻す技術も開示されている。
【先行技術文献】
【特許文献】
【０００５】
【特許文献１】特開２０１２−７２９５２号公報
【発明の概要】
【発明が解決しようとする課題】
【０００６】
しかし、従来のように、補助熱源機を利用した給湯運転中に、補助熱源機で生成された高温水を貯湯タンク側に戻すと、この戻された湯水が貯湯タンクの上部から補助熱源機へ流れる湯水と混合し、補助熱源機へ流れる湯水温度が上昇するので、補助熱源機の熱交換効率が低下し、さらに、貯湯タンク側へ高温水を戻す為に圧送ポンプの出力を上昇させる必要があるので、圧送ポンプの消費電力が増加し、貯湯給湯装置の運転効率が低下するという問題がある。
【０００７】
また、特許文献１の給湯システムのように、補助熱源機で加熱された湯水をループ状循環回路に循環させる技術を利用すると、給湯に寄与しない高温水を生成することになり、貯湯給湯装置の運転効率が低下する。
【０００８】
ところで、補助熱源機の稼動判定は、貯湯タンクの上部に設置された湯水温度検知センサによって行われるので、貯湯タンクの湯水温度検知センサより上側には、給湯可能な高温水が残っている可能性がある。この貯湯タンク内に残っている給湯可能な高温水は、極力有効に利用することが望ましい。
【０００９】
本発明の目的は、貯湯給湯装置において、補助熱源機の熱交換効率の低下を防止可能なもの、等を提供することである。
【課題を解決するための手段】
【００１０】
請求項１の貯湯給湯装置は、貯湯タンクの上部から給湯通路に接続されるタンク出湯通路と、このタンク出湯通路から分岐され燃焼式の補助熱源機に接続される補助加熱通路と、この補助加熱通路に設置された圧送手段と、前記補助熱源機から前記給湯通路に接続される補助熱源機出湯通路とを備え、前記補助熱源機で加熱した高温水を前記給湯通路へ供給する場合には、前記補助熱源機出湯通路から前記タンク出湯通路へ高温水の一部が流れ込むように前記圧送手段を駆動する貯湯給湯装置において、前記貯湯タンクの上部から前記タンク出湯通路へ出湯される湯水温度を検知する為の温度検知手段と、この温度検知手段の検知温度に応じて前記圧送手段を制御する圧送手段制御手段とを備えたことを特徴としている。
【００１１】
請求項２の貯湯給湯装置は、請求項１の発明において、前記圧送手段制御手段は、前記温度検知手段の検知温度が設定温度以上の場合、前記補助熱源機出湯通路から前記タンク出湯通路へ高温水が流れ込まないように前記圧送手段を制御し、前記温度検知手段の検知温度が設定温度未満になった場合、前記補助熱源機出湯通路から前記タンク出湯通路へ高温水の一部が流れ込むように前記圧送手段を制御することを特徴としている。
【発明の効果】
【００１２】
請求項１の発明によれば、貯湯タンクの上部からタンク出湯通路へ出湯される湯水温度を検知する為の温度検知手段と、この温度検知手段の検知温度に応じて圧送手段を制御する圧送手段制御手段とを備えたので、圧送手段制御手段によって、貯湯タンクの上部からタンク出湯通路へ出湯される湯水温度に応じて、補助熱源機出湯通路からタンク出湯通路へ流れ込む高温水の流量を可変にすることができる。
【００１３】
従って、補助熱源機を稼動した際に、温度検知手段より下流側に給湯可能な高温水が残っている場合、この給湯可能な高温水が補助熱源機で生成された高温水と混合しても出湯特性は著しく悪化しないので、圧送手段の出力能力を抑制して、補助熱源機からの高温水を貯湯タンク側へ流し込ませない。故に、貯湯タンク側へ高温水が戻らないので、補助熱源機へ流れる湯水温度は上昇せず、補助熱源機の熱交換効率が低下するのを防止可能であり、さらに、出湯特性を維持しつつ、圧送手段の消費電力を低減することができるので、貯湯給湯装置の運転効率が向上する。
【００１４】
請求項２の発明によれば、圧送手段制御手段は、温度検知手段の検知温度が設定温度以上の場合、補助熱源機出湯通路からタンク出湯通路へ高温水が流れ込まないように圧送手段を制御し、温度検知手段の検知温度が設定温度未満になった場合、補助熱源機出湯通路からタンク出湯通路へ高温水の一部が流れ込むように圧送手段を制御するので、温度検知手段より下流側における給湯可能な高温水を確実に消費してから圧送手段の出力能力を上昇させて、補助熱源機出湯通路からタンク出湯通路へ高温水の一部が流れ込むようにすることで、従来通り出湯特性を維持することができる。
【図面の簡単な説明】
【００１５】
【図１】本発明の実施例に係る貯湯給湯装置の概略構成図である。
【図２】給湯運転制御のフローチャートである。
【発明を実施するための形態】
【００１６】
以下、本発明を実施するための形態について実施例に基づいて説明する。
【実施例】
【００１７】
先ずは、本発明の貯湯給湯装置１の全体構成について説明する。
図１に示すように、貯湯給湯装置１は、貯湯、給湯、床暖房パネル等の温水暖房端末への温水の供給等の機能を有するものであり、貯湯タンク２を備えたタンクユニット１Ａ、貯湯タンク２内の湯水を加熱する為の外部熱源機１０、タンクユニット１Ａと外部熱源機１０とを接続する湯水循環回路６等を備えている。
【００１８】
タンクユニット１Ａは、貯湯タンク２、補助熱源機３、暖房用熱交換器４、給水経路５、湯水循環回路６、給湯経路７、暖房水を床暖房パネル等に供給する温水暖房回路８、温水暖房回路８の暖房水を加熱する熱利用循環回路９等を備え、これら大部分は外装ケース１１内に一体的に収納されている。尚、外部熱源機１０としては、ヒートポンプ式熱源機や燃料電池発電ユニットの排熱回収熱交換器等が活用される。
【００１９】
次に、貯湯タンク２について説明する。
図１に示すように、貯湯タンク２は、外部熱源機１０で加熱された高温水（例えば、８０〜９０℃）を貯留可能な密閉タンクで構成され、貯留された湯水の放熱を防ぐ為にタンク周囲は断熱材で覆われている。
【００２０】
貯湯タンク２の外周部には、下側から上側に向かって等間隔に湯水温度検知センサ２ａ〜２ｄが順に設けられ、これら複数の貯湯タンク湯水温度検知センサ２ａ〜２ｄにより貯湯タンク２内の複数の貯留層の湯水の温度が検出される。
【００２１】
補助熱源機３は、バーナーや熱交換器等を内蔵した公知のガス給湯器で構成されている。補助熱源機３は、貯湯タンク２内の湯水温度が低下した場合等の特別な場合に限り、制御ユニット３５から指令が送信されて燃焼作動され、湯水を加熱するものである。
【００２２】
暖房用熱交換器４は、温水暖房回路８を流れる暖房水を加熱するものであり、熱利用循環回路９の一部となる熱交換通路部４ａと、温水暖房回路８の一部となる熱交換通路部４ｂとを有している。この暖房用熱交換器４において、熱利用循環回路９を流れる高温水と温水暖房回路８を流れる暖房水との間で熱交換され、暖房水が加熱される。
【００２３】
次に、給水経路５について説明する。
図１に示すように、給水経路５は、上水源から低温の上水を貯湯タンク２に供給するものであり、上流給水通路部５ａ、中間給水通路部５ｂ、下流給水通路部５ｃを有している。上流給水通路部５ａの上流端が上水源に接続され、下流給水通路部５ｃの下流端が貯湯タンク２の下部に接続されている。上流給水通路部５ａと中間給水通路部５ｂとの間から給湯経路７に接続するバイパス通路部１２が分岐されている。上流給水通路部５ａには、開閉弁５ｅが設置され、通常は開閉弁５ｅは開弁されていて、低温の湯水を貯湯タンク２内に供給するようになっている。中間給水通路部５ｂには、逆止弁５ｄが設置され、バイパス通路部１２には、逆止弁１２ａが設置されている。
【００２４】
中間給水通路部５ｂと下流給水通路部５ｃとの間から熱利用循環回路９に接続するバイパス通路部１４が分岐され、この分岐部には、蓄熱切換弁１５が設置されている。このバイパス通路部１４により、低温の上水を熱利用循環回路９に供給することができ、また逆に、熱利用循環回路９から湯水を貯湯タンク２に戻すことができる。尚、下流給水通路部５ｃから外部に連なる排水通路３１が分岐され、この排水通路３１に貯湯タンク２の排水を行う為の手動式又は自動式の排水弁３２が設置され、通常は排水弁３２は閉弁されている。
【００２５】
次に、湯水循環回路６について説明する。
図１に示すように、湯水循環回路６は、貯湯タンク２と外部熱源機１０との間に湯水を循環させて加熱する閉回路であり、上流低温側循環通路部６ａ、ユニット外低温側循環通路部６ｂ、下流低温側循環通路部６ｃ、上流高温側循環通路部６ｄ、ユニット外高温側循環通路部６ｅ、下流高温側循環通路部６ｆ等を有している。上流低温側循環通路部６ａの上流端が貯湯タンク２の下部に接続され、下流高温側循環通路部６ｆの下流端が貯湯タンク２の上部に接続されている。
【００２６】
上流低温側循環通路部６ａと下流高温側循環通路部６ｆは、外装ケース１１内に設置されている。上流低温側循環通路部６ａから下流高温側循環通路部６ｆに接続する分岐通路部１６が分岐され、この分岐部には、貯湯タンク２を含めた循環回路と貯湯タンク２をバイパスする循環回路とを択一的に選択可能な三方弁１７が設置されている。上流低温側循環通路部６ａの三方弁１７の下流側に循環ポンプ１８が設置されている。
【００２７】
下流低温側循環通路部６ｃと上流高温側循環通路部６ｄは、外部熱源機１０の外装ケース１０ａ内に設置されている。下流低温側循環通路部６ｃと上流高温側循環通路部６ｄとの間に外部熱源機１０の熱交換部１０ｂが設けられている。
【００２８】
外装ケース１１に１対の継手１９ａ，１９ｂが設置され、外部熱源機１０の外装ケース１０ａにも１対の継手１９ｃ，１９ｄが設置されている。ユニット外低温側循環通路部６ｂの両端部は継手１９ａ，１９ｃに連結され、ユニット外高温側循環通路部６ｅの両端部は継手１９ｂ，１９ｄに連結されている。各継手１９ａ〜１９ｄには、水抜き栓が夫々設けられている。
【００２９】
次に、給湯経路７について説明する。
図１に示すように、給湯経路７は、貯湯タンク２内に貯湯された湯水を風呂等の所望の給湯先に供給するものであり、給湯栓に接続される給湯通路２１、貯湯タンク２の上部から給湯通路２１に接続されるタンク出湯通路２２、このタンク出湯通路２２から分岐され燃焼式の補助熱源機３に接続される補助加熱通路２３、補助熱源機３から給湯通路２１に接続される補助熱源機出湯通路２４等を有している。
【００３０】
給湯通路２１は、高温水が流れる上流給湯通路部２１ａ、混合湯水が流れる下流給湯通路部２１ｂを有し、上流給湯通路部２１ａの上流端がタンク出湯通路２２の下流端に接続され、下流給湯通路部２１ｂの下流端が給湯栓に接続されている。上流給湯通路部２１ａと下流給湯通路部２１ｂとの間には、混合弁２５が設置されている。この混合弁２５に給水経路５から分岐したバイパス通路部１２が接続されている。混合弁２５は、出湯温度が指令温度になるように水と高温水の混合比を制御するものである。下流給湯通路部２１ｂには、流量センサ２１ｃが設置されている。
【００３１】
タンク出湯通路２２は、上流出湯通路部２２ａ、下流出湯通路部２２ｂを有し、上流出湯通路部２２ａの上流端が貯湯タンク２の上部に接続され、下流出湯通路部２２ｂの下流端が上流給湯通路部２１ａの上流端に接続されている。上流出湯通路部２２ａと下流出湯通路部２２ｂとの間から補助加熱通路２３が分岐されている。タンク出湯通路２２の補助加熱通路２３が分岐する分岐部よりも上流側であって上流出湯通路部２２ａには、タンク出湯通路２２から補助加熱通路２３に流れる湯水温度を検知する為の通路湯水温度検知センサ２５（温度検知手段に相当する）が設置されている。
【００３２】
補助加熱通路２３は、上流加熱通路部２３ａ、下流加熱通路部２３ｂを有し、上流加熱通路部２３ａの上流端がタンク出湯通路２２に接続され、下流加熱通路部２３ｂの下流端が補助熱源機３の導入口に接続されている。上流加熱通路部２３ａと下流加熱通路部２３ｂとの間にタンク出湯通路２２と補助加熱通路２３とを切り換え可能な三方弁２６が設置されている。三方弁２６には、熱利用循環回路９の湯水戻り側通路部９ｂの下流端も接続されている。この三方弁２６は、上流加熱通路部２３ａと下流加熱通路部２３ｂとの間の接続・遮断及び下流加熱通路部２３ｂと湯水戻り側通路部９ｂとの間の接続・遮断を切換可能なものである。下流加熱通路部２３ｂには、圧送ポンプ２７（圧送手段に相当する）が設置されている。
【００３３】
補助熱源機出湯通路２４は、上流補助出湯通路部２４ａ、下流補助出湯通路部２４ｂを有し、上流補助出湯通路部２４ａの上流端が補助熱源機３の導出口に接続され、下流補助出湯通路部２４ｂの下流端が上流給湯通路部２１ａの上流端に接続されている。上流補助出湯通路部２４ａと下流補助出湯通路部２４ｂとの間から熱利用循環回路９の湯水往き側通路部９ａが分岐されている。下流補助出湯通路部２４ｂにタンク水比例弁２８が設置されている。
【００３４】
次に、温水暖房回路８について説明する。
図１に示すように、温水暖房回路８は、床暖房パネルや浴室乾燥機等に供給される暖房水を循環させる回路であり、暖房戻り側通路部８ａ、暖房往き側通路部８ｂを有している。暖房戻り側通路部８ａと暖房往き側通路部８ｂとの間に暖房用熱交換器４の熱交換通路部４ｂが設置されている。
【００３５】
次に、熱利用循環回路９について説明する。
図１に示すように、熱利用循環回路９は、湯水を循環させて温水暖房回路８との間で熱交換を行う閉回路であり、湯水往き側通路部９ａ、湯水戻り側通路部９ｂ、補助加熱通路２３の下流加熱通路部２３ｂ、補助熱源機出湯通路２４の上流補助出湯通路部２４ａを有している。湯水往き側通路部９ａと湯水戻り側通路部９ｂとの間に、暖房用熱交換器４の熱交換通路部４ａが接続されている。
【００３６】
次に、制御ユニット３５について説明する。
図１に示すように、貯湯給湯装置１は、制御ユニット３５によって制御される。各種のセンサの検知信号が制御ユニット３５に送信され、この制御ユニット３５により、貯湯給湯装置１の動作、各種のポンプの作動・停止、各種の弁の開閉状態の切り換え及び開度調整等を制御し、各種運転（給湯運転、湯水加熱運転、暖房運転、排水運転等）を実行する。
【００３７】
次に、補助熱源機３を利用した給湯運転制御について、図２のフローチャートに基づいて説明する。尚、図中の符号Ｓｉ（ｉ=１，２，・・）は各ステップを示す。この給湯運転制御の制御プログラムは、制御ユニット３５に予め格納されている。
【００３８】
図２のフローチャートにおいて、この制御が開始されると、最初にＳ１において、ユーザーの操作や各種のセンサの検知信号に基づいて給湯運転開始条件成立か否か判定される。Ｓ１の判定がＹｅｓの場合、つまり、給湯運転を開始する為の条件が成立している場合は、Ｓ２に移行し、Ｓ１の判定がＮｏのうちはＳ１を繰り返す。
【００３９】
次に、Ｓ２において、給湯運転を開始し、Ｓ３に移行する。即ち、給湯栓の開放に伴い、貯湯タンク２にかかる給水圧によって貯湯タンク２の上部から高温水がタンク出湯通路２２に押し出され、この高温水は、タンク出湯通路２２を通って給湯通路２１に流入し、混合弁２５において低温の上水と混合されて温度調整され、この温度調整された湯水が給湯栓から給湯される。
【００４０】
次に、Ｓ３において、貯湯タンク湯水温度検知センサ２ｄの検知信号を読み込み、この検知信号に基づいて、貯湯タンク２内の上部に貯留されている湯水温度（検知温度）Ｔａを算出して、Ｓ４に移行する。
【００４１】
次に、Ｓ４において、貯湯タンク２内の上部の湯水温度Ｔａが、給湯設定温度（例えば４０℃）に所定の設定温度α（例えば５℃）加えた第１設定温度以下か否かを判定する。Ｓ４の判定がＹｅｓの場合、つまり、貯湯タンク２内の高温水の量が減少し、高温水が貯湯タンク２内において貯湯タンク湯水温度検知センサ２ｄの上側の容積分しか残っていない場合は、Ｓ５に移行する。
【００４２】
尚、Ｓ４の判定がＮｏの場合、つまり、貯湯タンク２内に高温水が十分に残っている場合は、Ｓ６に移行して、給湯運転終了条件成立か否か判定される。Ｓ６の判定がＹｅｓの場合、Ｓ１２に移行して、給湯運転を終了する。Ｓ６の判定がＮｏの場合、つまり、給湯運転を継続する場合は、Ｓ３に移行して、Ｓ３とＳ４を繰り返し実行する。
【００４３】
次に、Ｓ５において、湯水温度Ｔａが第１設定温度以下になった場合に、三方弁２６を補助加熱通路２３側に切り換え、圧送ポンプ２７を駆動して、補助熱源機３を稼動して、Ｓ７に移行する。即ち、圧送ポンプ２７の駆動に伴い、貯湯タンク２から出湯した湯水は、タンク出湯通路２２の上流出湯通路部２２ａから補助加熱通路２３へ流れて補助熱源機３に流入し、補助熱源機３で加熱された湯水（例えば７５度）は、補助熱源機出湯通路２４を流れて給湯通路２１に流入する。
【００４４】
このとき、上流出湯通路部２２ａを流れる湯水の湯水温度Ｔａは、最初は第１設定温度を超えているので、この湯水が下流出湯通路部２２ｂを流れて補助熱源機３から給湯通路２１へ流入する高温水と混合しても、出湯特性は著しく悪化しない。このため、圧送ポンプ２７は、補助熱源機出湯通路２４からタンク出湯通路２２へ高温水が流れ込まないように制御することができる。例えば、流量センサ２１ｃに基づいて算出された要求給湯流量が3.0 L/minの場合、タンク出湯通路２１への押し戻し流量が0.0L/minとなるように、圧送ポンプ２７は、補助熱源機３からの給湯流量が3.0 L/minとなるように制御される。
【００４５】
次に、Ｓ７において、通路湯水温度検知センサ２５の検知信号を読み込み、この検知信号に基づいて、タンク出湯通路２２の上流出湯通路部２２ａを流れる湯水温度（検知温度）Ｔｂを算出して、Ｓ８に移行する。
【００４６】
次に、Ｓ８において、タンク出湯通路２２の上流出湯通路部２２ａを流れる湯水温度Ｔｂが、給湯設定温度に所定の設定温度β（例えば１℃）加えた第２設定温度（本発明の設定温度に相当する）未満か否かを判定する。Ｓ８の判定がＹｅｓの場合、つまり、貯湯タンク２内における貯湯タンク湯水温度検知センサ２ｄから上側の容積分の高温水が出湯され、タンク出湯通路２２の湯水温度Ｔｂが低下した場合は、Ｓ９に移行する。
【００４７】
尚、Ｓ８の判定がＮｏの場合、つまり、貯湯タンク２内に給湯可能な高温水が残っている場合は、Ｓ１０に移行して、給湯運転終了条件成立か否か判定され、Ｓ１０の判定がＹｅｓの場合、Ｓ１２に移行して、給湯運転を終了する。Ｓ８の判定がＮｏの場合、つまり、給湯運転を継続する場合は、Ｓ７に移行して、Ｓ７とＳ８を繰り返し実行する。
【００４８】
次に、Ｓ９において、湯水温度Ｔｂが第２設定温度未満になった場合に、圧送ポンプ２７の出力能力を上昇させて、Ｓ１１に移行する。即ち、貯湯タンク２内の上部から第２設定温度以上の給湯可能な高温水が上流出湯通路部２２ａを流れるが、この高温水の量は徐々に減少していくので、湯水温度Ｔｂは徐々に低下し、第２設定温度未満になった場合に、圧送ポンプ２７の出力能力を上昇させる。例えば、要求給湯流量が3.0 L/minの場合、タンク出湯通路２２への押し戻し流量が0.5L/minとなるように、圧送ポンプ２７は、補助熱源機３からの給湯流量が3.5 L/minとなるように制御される。このように、貯湯タンク２の上部からタンク出湯通路２２へ流れる湯水の温度に応じて、タンク出湯通路２２への押し戻し流量を可変にする。尚、タンク出湯通路２２への押し戻し流量の設定値は、ほんの一例を示したに過ぎず、適宜変更可能である。
【００４９】
Ｓ１１において、給湯運転終了条件成立か否か判定され、Ｓ１１の判定がＮｏのうちはＳ１１の判定を繰り返し、Ｓ１１の判定がＹｅｓの場合、Ｓ１２に移行して、給湯運転を終了する。尚、制御ユニット３５、制御プログラムのＳ３〜Ｓ９等が本発明の圧送手段制御手段に相当するものである。
【００５０】
従来のように、圧送ポンプ２７をタンク出湯通路２２への押し戻し流量が一定となるように制御すると、要求給湯流量が低い程(例えば2.5 L/minの場合)、タンク出湯通路２２への押し戻し流量の割合が高くなるので、補助熱源機３の熱交換効率が著しく低下していたが、圧送ポンプ２７を可変にすることで、補助熱源機３の熱交換効率の低下を防止することができる。
【００５１】
本発明の貯湯給湯装置１の作用及び効果について説明する。
貯湯給湯装置１は、貯湯タンク２の上部からタンク出湯通路２２へ出湯される湯水温度を検知する為の通路湯水温度検知センサ２５と、この通路湯水温度検知センサ２５の検知温度に応じて圧送ポンプ２７を制御する制御ユニット３５とを備えたので、制御ユニット３５によって、貯湯タンク２の上部からタンク出湯通路２２へ出湯される湯水温度に応じて、補助熱源機出湯通路２４からタンク出湯通路２２へ流れ込む高温水の流量を可変にすることができる。
【００５２】
従って、補助熱源機３を稼動した際に、通路湯水温度検知センサ２５より下流側に給湯可能な高温水が残っている場合、この給湯可能な高温水が補助熱源機３で生成された高温水と混合しても出湯特性は著しく悪化しないので、圧送ポンプ２７の出力能力を抑制して、補助熱源機３からの高温水を貯湯タンク２側へ流し込ませない。故に、貯湯タンク２側へ高温水が戻らないので、補助熱源機３へ流れる湯水温度は上昇せず、補助熱源機３の熱交換効率が低下するのを防止可能であり、さらに、出湯特性を維持しつつ、圧送ポンプ２７の消費電力を低減することができるので、貯湯給湯装置１の運転効率が向上する。
【００５３】
また、制御ユニット３５は、通路湯水温度検知センサ２５の検知温度が設定温度以上の場合、補助熱源機出湯通路２４からタンク出湯通路２２へ高温水が流れ込まないように圧送ポンプ２７を制御し、通路湯水温度検知センサ２５の検知温度が設定温度未満になった場合、補助熱源機出湯通路２４からタンク出湯通路２２へ高温水の一部が流れ込むように圧送ポンプ２７を制御するので、通路湯水温度検知センサ２５から下流側における給湯可能な高温水を確実に消費してから圧送ポンプ２７の出力能力を上昇させて、補助熱源機出湯通路２４からタンク出湯通路２１へ高温水の一部が流れ込むようにすることで、従来通り出湯特性を維持することができる。
【００５４】
次に、前記実施例を部分的に変更した形態について説明する。
［１］前記実施例において、通路湯水温度検知センサ２５は、上流出湯通路部２２ａに設置されているが、この構造に限定する必要はなく、貯湯タンク２の外周部の通路湯水温度検知センサ２５の上側に設置しても良い。
【００５５】
［２］前記実施例において、三方弁２６は、補助加熱通路２３の下流加熱通路部２３ｂに設置されているが、特にこの構造に限定する必要はなく、タンク出湯通路２２から補助加熱通路２３が分岐した分岐部に三方弁２６を設置しても良い。
【００５６】
［３］前記実施例において、第１，第２設定温度はほんの一例を示したに過ぎず、第１，第２設定温度が給湯可能な温度であれば、適宜変更可能である。
【００５７】
［４］その他、当業者であれば、本発明の趣旨を逸脱することなく、前記実施例に種々の変更を付加した形態で実施可能であり、本発明はそのような変更形態を包含するものである。
【符号の説明】
【００５８】
１      貯湯給湯装置
２      貯湯タンク
２ｄ    貯湯タンク湯水温度検知センサ
３      補助熱源機
１０    外部熱源機
２１    給湯通路
２２    タンク出湯通路
２３    補助加熱通路
２４    補助熱源機出湯通路
２５    通路湯水温度検知センサ
２６    三方弁
２７    圧送ポンプ
３５    制御ユニット
【図１】
2015021717.tif 000003
【図２】
2015021717.tif 000004